(57)【要約】【課題】利用者が、映像機器に録画されたコンテンツを容易に端末に送信（コピーまたは移動）することが可能なコンテンツ送信システム、映像機器及び端末を提供する。【解決手段】コンテンツ送信システムは、録画予約された放送コンテンツを録画する録画装置と前記録画装置に録画された前記コンテンツをネットワークを介して送信するよう制御する制御モジュールを有する映像機器と、前記ネットワークを介して前記映像機器に接続し、前記映像機器から送信された前記コンテンツを記録する記録手段を有する端末とを備え、前記制御モジュールは、前記端末に記録されたコンテンツの情報を前記端末から受信し、前記録画装置に録画された前記コンテンツと比較して前記コンテンツの差分を算出し、前記コンテンツの差分を前記端末へ送信する。【選択図】図１
2012253468.tif 000002
【特許請求の範囲】
【請求項１】
録画予約された放送コンテンツを録画する録画装置と前記録画装置に録画された前記コンテンツをネットワークを介して送信するよう制御する制御モジュールを有する映像機器と、
前記ネットワークを介して前記映像機器に接続し、前記映像機器から送信された前記コンテンツを記録する記録手段を有する端末とを備え、
前記制御モジュールは、前記端末に記録されたコンテンツの情報を前記端末から受信し、前記録画装置に録画された前記コンテンツと比較して前記コンテンツの差分を算出し、前記コンテンツの差分を前記端末へ送信するコンテンツ送信システム。
【請求項２】
前記同期録画予約する際端末に適したトランスコードを設定する請求項１に記載したコンテンツ送信システム。
【請求項３】
録画予約されたコンテンツを録画する録画装置と、
前記録画装置に録画された前記コンテンツをネットワークを介して端末へ送信するよう制御する制御モジュールとを備え、
前記制御モジュールは、前記端末に記録されたコンテンツの情報を前記端末から受信し、前記録画装置に録画された前記コンテンツと比較して前記コンテンツの差分を算出し、前記コンテンツの差分を前記端末へ送信する映像機器。
【請求項４】
前記同期録画予約する際端末に適したトランスコードを設定する請求項３に記載した映像機器。
【請求項５】
前記制御モジュールは、前記端末に記録されたコンテンツの情報を前記端末から受信し、前記録画装置に録画された前記コンテンツと比較して前記コンテンツの差分を算出し、前記コンテンツの差分を前記端末へ送信する同期録画処理モジュールを有し、
前記映像機器が待機状態にあるとき所定の間隔で前記同期録画処理モジュールの電源をオンにする電源管理モジュールを有する請求項３に記載した映像機器。
【請求項６】
前記制御モジュールは、録画予約されたコンテンツを前記端末への送信を予約する同期録画予約を管理する録画管理モジュールを有する請求項３に記載した映像機器。
【請求項７】
前記制御モジュールは、前記ネットワークを介して接続された前記端末が録画処理する端末であるかを認証する端末認証部を有する請求項３に記載した映像機器。
【請求項８】
前記同期録画処理モジュールは、前記端末に記録されたコンテンツの情報を前記端末から受信し、前記録画装置に録画された前記コンテンツと比較して前記コンテンツの差分を算出し、前記コンテンツの差分リストを生成して前記端末へ送信する請求項４に記載した映像機器。
【請求項９】
ネットワークを介して接続した映像機器から送信されたコンテンツを記録する記録装置と、
前記記録装置に記録されたコンテンツの情報を前記映像機器に送信し、前記映像機器で前記映像機器に録画された前記コンテンツの中で未受信の前記コンテンツを前記映像機器から受信する制御モジュールと
を有する端末。
【発明の詳細な説明】
【技術分野】
【０００１】
本発明の実施形態は、コンテンツ送信システム、映像機器及び端末に関する。
【背景技術】
【０００２】
携帯端末を利用して放送番組の番組表を公開するサーバ装置にインターネットを介して接続し、放送番組の録画を予約し、録画された映像コンテンツを携帯端末にて視聴可能な形式に変換して、インターネットを介して携帯端末に配信するサーバ装置を備える映像コンテンツ配信システムが利用されている。
【先行技術文献】
【特許文献】
【０００３】
【特許文献１】特開２００５−３０３７１１号公報
【発明の概要】
【発明が解決しようとする課題】
【０００４】
従来の映像コンテンツ配信システムにおいては、利用者は映像コンテンツ配信システムの登録操作、番組情報取得操作、録画予約操作、映像コンテンツ配信操作といった煩雑な操作を行う必要があった。
【０００５】
また、映像コンテンツ配信操作においては、利用者が携帯端末に映像コンテンツをダウンロードするとき、携帯端末をサーバ装置にインターネットを介して接続し、録画された映像コンテンツのリストを確認し、ダウンロードする映像コンテンツを選択して受信する。ダウンロードが完了した後に、映像コンテンツを視聴することが可能となる。利用者は、携帯端末の操作入力部に対して多数の操作を施さなければならなかった。
【０００６】
本発明の目的は、上記したような事情に鑑み成されたものであって、利用者が、映像機器に録画されたコンテンツを容易に端末に送信（コピーまたは移動）することが可能なコンテンツ送信システム、映像機器及び端末を提供することである。
【課題を解決するための手段】
【０００７】
上記目的を達成するために、実施形態によれば、コンテンツ送信システムは、録画予約された放送コンテンツを録画する録画装置と前記録画装置に録画された前記コンテンツをネットワークを介して送信するよう制御する制御モジュールを有する映像機器と、前記ネットワークを介して前記映像機器に接続し、前記映像機器から送信された前記コンテンツを記録する記録手段を有する端末とを備え、前記制御モジュールは、前記端末に記録されたコンテンツの情報を前記端末から受信し、前記録画装置に録画された前記コンテンツと比較して前記コンテンツの差分を算出し、前記コンテンツの差分を前記端末へ送信する。
【図面の簡単な説明】
【０００８】
【図１】第１の実施形態に係わるコンテンツ送信システムの構成の一例を示す模式図。
【図２】第１の実施形態に係わる映像機器の構成を示したブロック図。
【図３】第１の実施形態に係わる携帯端末の構成を示したブロック図。
【図４】映像機器の同期録画処理の動作手順の例を示したフローチャート。
【図５】複数の携帯端末が接続された場合の映像機器の同期録画処理の動作手順の例を示したフローチャート。
【図６】映像機器の同期作業の動作手順の例を示したフローチャート。
【図７】映像機器の同期作業の動作手順の別の例を示したフローチャート。
【図８】映像機器の画面に表示された番組表の例を示した図。
【図９】映像機器の画面に番組録画予約ウィンドウが表示された例を示した図。
【図１０】映像機器の画面に携帯端末設定ウィンドウが表示された例を示した図。
【図１１】第２の実施形態に係る携帯端末の構成を示したブロック図。
【発明を実施するための形態】
【０００９】
以下実施形態について図面を参照しながら説明する。
【００１０】
（第１の実施形態）
図１は、実施形態に係わるコンテンツ送信システムの構成の一例を示す模式図である。コンテンツ送信システム１は、例えば、録画機能を有するデジタル放送受信機やBlu-ray（登録商標）レコーダ等の映像機器２と、例えば、携帯電話機、ＰＤＡ等の端末或いは携帯端末３により構成されている。端末或いは携帯端末３は、ローカルエリアネットワーク（ＬＡＮ）のようなネットワーク４を介して、映像機器２に接続されている。ネットワーク４には、ルータ５等のネットワーク機器が含まれる。なお、映像機器２に接続される携帯端末３は、複数であってもよい。
【００１１】
映像機器２は、放送局１１から放送されるデジタル放送（例えば、デジタルの地上波放送、ＢＳ（Broadcasting Satellite）放送、ＣＳ（Communication Satellite）放送、ＣＡＴＶ（Community Antenna TeleVision）等）を受信する機能を有する。また図２に示すようにネットワーク送受信モジュール３１を介してネットワーク４に接続され、ネットワーク４に接続された単数または複数の携帯端末３やネットワーク４に接続された他のサーバと情報を送受信する機能を有する。
【００１２】
映像機器２は、筐体６と、筐体６を支持するスタンド６ａを備えている。筐体６は前面側に液晶パネルやＰＤＰ（Plasma Display Panel）パネル等の表示パネル６ｂが配置され、表示パネル６ｂの背面側に表示パネル６ｂを支持する図示しないフレームが配置されている。フレームには表示パネル６ｂを駆動するための図示しない回路基板や電源回路が設置されている。
【００１３】
筐体６は、筐体６の前面側と上面、底面、両側側面の一部を覆う前面カバー６ｃと、筐体６の背面側と上面、底面、両側側面の一部を覆う背面カバー６ｄとによって外面が囲まれている。画面７は、表示パネル６ｂの前面カバー６ｃの窓部６ｅの内側の表示部分である。
【００１４】
リモコン８は赤外線あるいはBluetooth（登録商標）等による無線通信を利用して、映像機器２の操作受信モジュールへ操作信号を送る操作機器である。
【００１５】
端末或いは携帯端末３は、携帯電話網による無線通信手段のほかに、無線ＬＡＮ通信手段を兼ね備えており、家やオフィス、或いは公衆無線ＬＡＮが利用できる駅やホテル等では無線ＬＡＮを通じてデータ通信ができ、無線ＬＡＮ通信ができない外出先では携帯電話網を利用した無線通信が可能である。また、ＵＳＢ（Universal Serial Bus）等の外部インターフェースを備えており、ＵＳＢケーブルによってＵＳＢ外部機器と接続してデータを送受信することができる。なお、携帯端末３は、携帯電話網による無線通信手段が必須ではなく、無線ＬＡＮ通信のみの通信手段を具備するものであってもよい。
【００１６】
携帯端末３は、本体の前面に液晶パネルのような表示装置とタッチパッドのような位置入力装置を組み合わせたタッチパネル９を備えており、表示装置の画面上の表示を押すことで機器を操作することができる。なお、携帯端末３はタッチパネル９ではなく、表示装置とは別に操作キーを備えていても構わない。
【００１７】
映像機器２と携帯端末３がルータ５を介して接続される場合には、映像機器２とルータ５の接続は有線ＬＡＮでも無線ＬＡＮでも構わない。同様に携帯端末３とルータ５の接続は有線ＬＡＮでも無線ＬＡＮでも構わないが、有線ＬＡＮの場合には、携帯端末３に有線ＬＡＮ用のケーブルを接続するための端子が必要となる。
【００１８】
図２は、実施形態に係る映像機器２の構成を示したブロック図である。アンテナ１０は、放送局１１から送信された放送電波を受信するための地上デジタル放送あるいは衛星デジタル放送用のアンテナである。チューナ１２は、地上デジタル放送、衛星デジタル放送あるいはケーブルテレビ放送の放送信号の中から所望のチャンネルの放送信号を選局する。チューナ１２は、複数のチューナユニットから構成されており、同時に複数の放送を受信することができる。アンテナ端子１２ａはアンテナ１０が接続される端子である。
【００１９】
復調器１３は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ（Moving Picture Experts Group）−ＴＳ（Transport Stream）に復調され、デコード処理モジュール１４に出力される。また、復調器１３は、ネットワーク送受信モジュール３１を介してインターネット等のネットワーク４から受信したＩＰ放送を復調する。
【００２０】
デコード処理モジュール１４は、ＭＰＥＧデコーダ、映像音声デコーダ等の機能を有する。デコード処理モジュール１４は、復調器１３から送信されたＭＰＥＧ−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。
【００２１】
また、デコード処理モジュール１４は、録画装置１５から入力された映像データ及び音声データをデコードする。更に、デコード処理モジュール１４は、外部記憶装置３０から入力された映像データ及び音声データをデコードする機能を有する。
【００２２】
録画装置１５は、ＨＤＤ（Hard Disk Drive）、ＳＳＤ（Solid State Drive）あるいはＯＤＤ（Optical Disc Drive）等を含む録画手段である。録画装置１５には情報を録画再生するためのエンコーダとデコーダが搭載されており、該エンコーダとデコーダを介してＭＰＥＧ−ＴＳデータが録画装置１５の録画再生形態に適したフォーマットに変調されＨＤＤ、ＳＳＤあるいはＯＤＤに記録され、また再生される。再生データは、デコード処理モジュール１４でデコードされる。
【００２３】
重畳処理モジュール１６は、デコード処理モジュール１４からの映像データと、バス２１を介して転送されるデータ放送やＧＵＩ（Graphical User Interface）制御によるウィンドウ描画をプレーン管理して、映像データとの重ね合わせを行い、映像処理モジュール１７に送る。
【００２４】
映像処理モジュール１７は、表示装置１８で表示可能なフォーマット（画素数、フレーム周波数、走査方式）に変換したり、表示色を任意に調整したりして、表示装置１８に出力して映像を画面７に表示させる。
【００２５】
音声処理モジュール１９は、デコード処理モジュール１４から伝送されたデジタルの音声データを、スピーカ２０あるいはイヤーホーンで再生可能なアナログ音声信号に変換した後、スピーカ２０あるいはイヤーホーンに出力して音声を再生させる。なお、表示装置１８やスピーカ２０は映像機器２の外部にあってもよい。また、映像機器２と別の筐体に納められていてもよい。
【００２６】
映像機器２は、上記した受信動作を含むその全ての動作を制御モジュール２２によって統括的に制御されている。制御モジュール２２はＭＰＵ（Micro Processing Unit）２３が搭載されており、バス２１を介して接続された各構成要素を制御する。
【００２７】
ＲＡＭ（Random Access Memory）２４は、制御モジュール２２のデータ処理に必要な各種データを格納するリードライト用のメモリであり、映像データ、画像フレームの情報等を格納するバッファメモリとして動作する。ＲＯＭ（Read Only Memory）２５は読出し専用のメモリであり、ＭＰＵ２３が実行する制御のプログラムなどを格納している。
【００２８】
フラッシュメモリ２６は、書き換え可能であり、電源を切ってもデータが消えない不揮発性のメモリである。フラッシュメモリ２６は、録画予約情報、録画番組情報等を記憶する機能を有する。またフラッシュメモリ２６は、携帯端末属性記憶部３６の機能を有する。
【００２９】
操作受信モジュール２７は、操作機器２８から送信される操作信号を受信し、制御モジュール２２に転送する。操作機器２８は、例えば、赤外線あるいはBluetooth（登録商標）等による無線通信を利用したリモコン（リモートコントローラ、remote controller）８、有線式あるいは無線式キーボード等であり、操作信号を送出する。操作受信モジュール２８は、これらリモコン８やキーボード等から操作信号を受信する。
【００３０】
外部インターフェース２９は、ＵＳＢ（Universal Serial Bus）、ＩＥＥＥ１３９４（Institute of Electrical and Electronic Engineers 1394）、ｅＳＡＴＡ(external Serial ATA(AT Attachment)）、ＳＤ（Secure Digital）（登録商標）メモリカード、メモリースティック（登録商標）、あるいはＨＤＭＩ（High Definition Multimedia Interface）（登録商標）等のインターフェースであり、ＵＳＢメモリやＵＳＢ外部機器、ＳＤメモリカード、メモリースティック、ＨＤＤ、ＳＳＤ、ＣＤ、ＤＶＤ、Blu-ray（登録商標）記録再生機等のドライブ類を含む外部記憶装置３０が接続される。外部記憶装置端子２９ａは外部記憶装置３０が接続される端子である。
【００３１】
映像機器２は、外部インターフェース２９を介して外部記憶装置３０に放送番組を録画することができる。録画装置１５または外部記憶装置３０のどちらに録画するかを利用者が選択できる。また、映像機器２は、外部記憶装置３０に録画された映像または音声情報を再生することができる。
【００３２】
映像機器２は、ネットワーク送受信モジュール３１を介してＬＡＮあるいは、インターネット等のネットワーク４に接続される。これにより、映像機器２は、ネットワーク４に接続された他の機器とネットワーク送受信モジュール３１を介して情報伝送を行なうことができる。ネットワーク端子３１ａはネットワーク４が接続される端子である。なお、映像機器２とネットワーク４との接続は有線接続でも無線接続でも構わない。
【００３３】
図２において、制御モジュール２２は、録画管理モジュール３３、画像同期処理部３４、携帯端末認証モジュール３５の機能を有する。これらの機能は、制御モジュール２２のＭＰＵ２３が実行するアプリケーションであり、通常はＲＯＭ２５に格納されており、使用時にはＭＰＵ２３によって読み出され実行される。
【００３４】
録画管理モジュール３３は、利用者の要求に基づいて予約された放送コンテンツの録画予約情報を管理する。また、録画管理モジュール３３は、予約された放送コンテンツの録画処理、また視聴中の放送コンテンツの録画処理を行う。さらに、録画管理モジュール３３は、録画装置１５に録画されたコンテンツを管理する。録画されたコンテンツの番組情報（放送局名、放送日時、番組名、放送概要、出演者、番組詳細、番組分類等）、録画時間、録画されたコンテンツが再生済みか未再生かの区別等を、フラッシュメモリ２６、または録画装置１５に記録し、録画されたコンテンツの情報を管理する。録画管理モジュール３３は、録画されたコンテンツの録画番組リストの生成、録画されたコンテンツの再生や削除、編集等の処理を実行する。
【００３５】
録画管理モジュール３３は、更に、録画予約された放送コンテンツが録画された後に、この録画された放送コンテンツを携帯端末へ送信（コピーまたは移動）することを予約されたかを管理する。利用者は、映像機器２の画面７に表示されたＥＰＧ（Electronic Program Guide）を見ながら放送コンテンツを選択して録画を予約することができる。このとき、録画したコンテンツを携帯端末３にコピーまたは移動するかを予約することができる。映像機器２に録画されたコンテンツを携帯端末へ送信する送信予約（コピーまたは移動予約）を同期録画予約と称することにする。既に録画済みのコンテンツを同期録画予約することも可能である。録画管理モジュール３３は、同期録画予約された放送コンテンツの同期録画予約リストを作成し管理する。
【００３６】
放送コンテンツのコピーは、例えば、ダビング１０が許可された放送コンテンツであれば、コピー９回と移動１回が可能であり、この範囲内であれば映像機器２から携帯端末３へのコピーまたは移動が可能である。また、移動が１回しか許可されていない放送コンテンツであれば、この範囲内であれば移動が可能である。
【００３７】
同期録画処理モジュール３４は、携帯端末３にコピーまたは移動によって既に記録されたコンテンツの情報（コンテンツリスト）を携帯端末３から受信し、録画装置１５に録画されたコンテンツと比較して同期録画予約されたコンテンツの未送信のコンテンツの差分を算出し、このコンテンツの差分を携帯端末３へ送信する機能を有する。映像機器２において同期録画予約されたコンテンツのデータについて、映像機器２内にあるコンテンツのデータと携帯端末３内にあるコンテンツのデータのコンテンツの差分を算出し、算出されたコンテンツの差分のデータを、ネットワーク４を介して映像機器２から携帯端末３へコピーまたは移動する処理を同期録画処理と称することとする。
【００３８】
携帯端末認証モジュール３５は、ネットワーク４に接続された携帯端末３が、同期処理する対象の携帯端末であるかどうかを認証する機能を有する。携帯端末３が携帯端末３内にある同期録画処理のアプリケーションソフトを実行して最初に映像機器２へ接続した際に携帯端末３の属性情報を映像機器２へ登録する。携帯端末認証モジュール３５は、携帯端末３の属性情報をフラッシュメモリ２６の携帯端末属性記憶部３６に記憶させる。以上の処理は、通常、携帯端末３が携帯端末３内にある同期録画処理のアプリケーションソフトを実行して最初に映像機器２へ接続した際に実行するものであるが、それに限定されるものではなく、携帯端末３からの要求により、映像機器２への接続が２回目以降においても実行されてもよい。例えば、携帯端末３内にある同期録画処理のアプリケーションソフトのアップデートによる場合、後述の利用者が独自に決めたパスワード等の変更の場合などである。
【００３９】
属性情報とは、例えば、携帯端末３の機種名、利用者が独自に決めたパスワード等である。属性情報を映像機器２に一旦登録した後は、次回に携帯端末３が映像機器２に接続したときに、携帯端末３から映像機器２に属性情報を送信し、携帯端末認証モジュール３５は、送信された属性情報を携帯端末属性記憶部３６に登録された属性情報と照合し、一致していれば同期録画処理する対象の携帯端末であると判定する。利用者が接続する度に携帯端末３に認証情報を入力操作する必要はない。
【００４０】
電源管理モジュール３２は、映像機器２がスタンバイ状態（待機状態）であるかどうかを判定して、スタンバイ状態であれば、同期録画処理用の電源をオンする機能を有する。電源管理モジュール３２は、映像機器２がスタンバイ状態であれば、スタンバイフラグを立て、タイマＡ３２ａとタイマＢ３２ｂをリセットし、タイマＡ３２ａのカウント値が所定値になったら同期録画処理用の電源をオンする。電源管理モジュール３２は、マイコンを備えており、映像機器２がスタンバイ状態であるときにも少ない消費電力でスタンバイ状態を監視しており、スタンバイ状態であるときでも自動的に同期録画処理用の電源をオンする。映像機器２がスタンバイ状態でないときは、映像機器２が通常の動作状態であり、自動的に同期録画処理用の電源をオンする処理は不要である。
【００４１】
なお、この電源管理モジュール３２の機能を、制御モジュール２２が行うようにしてもよい。この場合には、制御モジュール２２のＭＰＵ２３が、映像機器２がスタンバイ状態であることを監視できるようにするためにある程度の電源をＭＰＵ２３に供給する必要がある。
【００４２】
図３は、実施形態に係わる携帯端末３の構成を示したブロック図である。アンテナ４０は、無線ＬＡＮの信号を送受信するためのアンテナである。携帯端末３は、ネットワーク送受信モジュール４１を介してＬＡＮあるいは、インターネット等のネットワーク４に接続される。これにより、携帯端末３は、ネットワーク４に接続された映像機器とネットワーク送受信モジュール４１を介して情報伝送を行なうことができる。
【００４３】
アンテナ４３は、携帯電話網を利用した無線通信の信号を基地局４２との間で送受信するためのアンテナである。無線送受信モジュール４４は、受信においては受信された無線信号を受信中間周波信号に変換し変復調モジュール４５へ送信する。また、送信においては変復調モジュール４５で変調された信号を無線波周波数にアップコンバートし、さらに所定の送信電力レベルに増幅したりする。
【００４４】
変復調モジュール４５は、復調においては受信中間周波信号のデジタル復調が行なわれ、これによりデジタル復調信号が再生される。また、変調においては送信中間周波信号をデジタル変調し、この変調した送信中間周波信号を無線送受信モジュール４４に入力する。
【００４５】
無線制御モジュール４６は、基地局４２との間で無線通信を行うための制御を行う機能を有すると共にデジタル復調信号を受信タイムスロット毎に分離する。そして、分離したスロットのデータが音声データであればこの音声データを音声処理モジュール４７に入力する。一方、分離したスロットのデータがパケットデータや制御データであれば、これらのデータを制御モジュール５３に入力する。
【００４６】
音声処理モジュール４７は、無線制御モジュール４６から送信された音声信号をデコードし、スピーカ４８へ出力する。また音声処理モジュール４７は、マイクロホン４９からの音声信号をエンコードして無線制御モジュール４６へ送信する。
【００４７】
映像処理モジュール５０は、制御モジュール５３の制御のもとで、表示装置５１において利用者に各種情報を通知するための表示出力を制御する。表示装置５１は、液晶ディスプレイ等によって構成され、映像処理モジュール５０の制御のもとで各種情報を表示する。
【００４８】
映像機器２は、全ての動作を制御モジュール５３によって統括的に制御されている。制御モジュール５３はＭＰＵ（Micro Processing Unit）５４が搭載されており、バス５２を介して接続された各構成要素を制御する。ＲＡＭ５５は、ＭＰＵ５４が動作するときにデータの加工等の作業エリアとして利用され、また映像信号、音声信号等を一時的に格納する。ＲＯＭ５６は、ＭＰＵ５４の動作プログラムやデータなどを保存する。
【００４９】
フラッシュメモリ５７は、書き換え可能であり、電源を切ってもデータが消えない不揮発性の半導体メモリである。フラッシュメモリ５７は、記録されたコンテンツのコンテンツリスト記憶部６３の機能を有する。
【００５０】
記録装置５８は、ＨＤＤ（Hard Disk Drive）、ＳＳＤ（Solid State Drive）等を含む録画手段である。記録装置５８には情報を録画再生するためのエンコーダとデコーダが搭載されており、該エンコーダとデコーダを介してコンテンツのデータが記録装置５８の録画再生形態に適したフォーマットに変調されＨＤＤ、ＳＳＤに記録され、また再生される。なお、記録装置５８の機能は、フラッシュメモリ５７で代用することも可能である。この場合にはフラッシュメモリ５７は比較的大きな記憶容量が必要とされる。
【００５１】
タッチパネル９は、液晶パネルのような表示装置の画面上の表示を押すことで携帯端末３を操作する入力装置である。画面上の触れられた画面位置の情報を感知して制御モジュール５３へ情報信号として出力する。制御モジュール５３は、画面上の位置情報に基づいて、利用者が望む適切な動作を行なう。
【００５２】
外部インターフェース６０は、ＵＳＢ、ＳＤ（登録商標）メモリカード、メモリースティック（登録商標）、あるいはＨＤＭＩ（登録商標）等のインターフェースであり、ＵＳＢメモリや、ＳＤメモリカード、メモリースティック等の外部機器６５が接続される。外部機器接続端子６０ａは外部機器６５が接続される端子である。
【００５３】
図３において、制御モジュール５３は、記録管理モジュール６１、同期録画制御モジュール６２の機能を有する。これらの機能は、制御モジュール５３のＭＰＵ５４が実行するアプリケーションであり、通常はＲＯＭ５６に格納されており、使用時にはＭＰＵ５４によって読み出され実行される。
【００５４】
記録管理モジュール６１は、記録装置５８またはフラッシュメモリ５７に記録（録画）されたコンテンツを管理する。録画されたコンテンツの番組情報（放送局名、放送日時、番組名、放送概要、出演者、番組詳細、番組分類、イベントＩＤ、サービスＩＤ等）、録画時間等を、フラッシュメモリ５７に記録し、録画されたコンテンツの情報を管理する。記録管理モジュール６１は、携帯端末３にコピーまたは移動によって既に記録されたコンテンツのコンテンツリストを作成しコンテンツリスト記憶部６３に記憶させる。また、録画されたコンテンツの再生や削除等の処理を実行する。
【００５５】
同期録画制御モジュール６２は、携帯端末３側の同期録画処理の機能を有する。同期録画制御モジュール６２は、ネットワークを介して映像機器２に接続要求し、映像機器２に携帯端末３の属性情報を送信し、映像機器２から認証を受けた後に、コンテンツリスト記憶部６３に記憶したコンテンツリストを映像機器２に送信し、映像機器２で同期録画予約され映像機器２に録画されたコンテンツの中の未受信の差分を映像機器２より受信し、記録装置５８またはフラッシュメモリ５７に記録する。
【００５６】
利用者は、携帯端末３が保有するアプリケーションソフトの中から同期録画処理のアプリケーションソフトを実行すると、映像機器２において同期録画予約されたコンテンツの未受信の差分を映像機器２より自動的に受信し、記録装置５８またはフラッシュメモリ５７に記録する。従って、利用者が、映像機器２に録画されたコンテンツを容易に携帯端末３に送信（コピーまたは移動）することができる。
【００５７】
図４は、映像機器２の同期録画処理の動作手順の例を示したフローチャートである。同期録画処理は、利用者が放送番組を視聴中であってもバックグラウンドで実行される。また、バックグラウンドでなくフォアグラウンドのプロセスとして実行させることも可能である。映像機器２がスタンバイ（待機）状態であっても、電源管理モジュール３２が、所定の時間が経過すると同期録画処理用の電源をオンし、携帯端末３からの接続要求の有無を判定して接続要求があった場合には同期録画処理を実行する。電源管理モジュール３２は、節電のために小さな消費電力で動作することが望ましい。
【００５８】
Ｓ１１において、電源管理モジュール３２が、映像機器２がスタンバイ状態であるかを判定する。スタンバイ状態でなければ、Ｓ１２へ移り、電源管理モジュール３２が、スタンバイフラグを倒し（オフする）、Ｓ１８へ移る。スタンバイ状態であった場合には、Ｓ１３へ移って、電源管理モジュール３２は、スタンバイフラグを立てる（オンする）。なお、スタンバイフラグは、電源管理モジュール３２が行う処理とは別の処理でオン、オフするようにしてもよい。
【００５９】
Ｓ１４において、電源管理モジュール３２は、タイマＡ３２ａとタイマＢ３２ｂをリセットする。Ｓ１５において、電源管理モジュール３２は、タイマＡ３２ａのカウントが所定値になったかを判定する。タイマＡ３２ａは、映像機器２がスタンバイ状態のときに同期処理用の電源をオンする間隔を設定するためのタイマであり、所定値とは、例えば、３０分あるいは１時間であって、利用者によって設定することができる。タイマＡ３２ａのカウントが所定値になったならば、Ｓ１６へ移り、タイマＡ３２ａのカウントが所定値になっていないならば、Ｓ１７へ移って、タイマＡ３２ａをカウントアップし、Ｓ１５へ戻る。
【００６０】
Ｓ１６において、電源管理モジュール３２が、同期処理用の電源をオンする。同期処理用の電源は、少なくとも同期録画処理に必要な機能ブロック部分を動作させるためであり、表示装置１８等の不要な部分の通電はしない。同期録画処理に必要な機能ブロック部分は、ＭＰＵ２３を含む制御モジュール２２、録画装置１５、ＲＡＭ２４、ＲＯＭ２５、フラッシュメモリ２６、ネットワーク送受信モジュール３１等である。放送コンテンツが外部記憶装置に録画されている場合には、外部インターフェース２９も通電が必要であり、この場合には、外部記憶装置に給電するか、または、外部記憶装置３０の電源がオンされる必要がある。
【００６１】
Ｓ１８において、電源管理モジュール３２は、スタンバイフラグはオンであるかを判定する。スタンバイフラグがオンであれば、Ｓ１９へ移る。スタンバイフラグがオンでないならば、Ｓ２１へ移る。Ｓ１９において、電源管理モジュール３２は、タイマＢ３２ｂのカウントが所定値になったかを判定する。タイマＢ３２ｂは、同期録画処理用の電源がオンの状態の時間を監視するタイマであり、認証可能な携帯端末３が接続要求しない時間をモニタしながら、タイマＢ３２ｂのカウントが所定値になったならば、Ｓ２６へ移り、所定値になっていないならば、Ｓ２０へ移る。所定値とは、例えば、３０分あるいは１時間であって、利用者によって設定することができる。Ｓ２０において、電源管理モジュール３２は、タイマＢ３２ｂをカウントアップする。
【００６２】
Ｓ２１において、同期録画処理モジュール３４は、携帯端末３からの接続要求があったかを判定する。携帯端末３が、携帯端末３の同期録画処理のアプリケーションソフトを実行すると、ネットワークを介して映像機器２に接続要求する。同期録画処理モジュール３４は、この接続要求を、ネットワーク送受信モジュール３１を介して検出する。携帯端末３からの接続要求があった場合にはＳ２２へ移る。接続要求が無かった場合には、Ｓ１８へ戻る。
【００６３】
Ｓ２２において、携帯端末認証モジュール３５は、携帯端末３から送信された携帯端末３の属性情報と携帯端末属性情報記憶部３６に記憶された属性情報と照合する。Ｓ２３において、携帯端末認証モジュール３５は、照合した結果一致していれば同期処理する対象の携帯端末であるとして認証是認と判定し、Ｓ２４へ移る。認証ができなければ、未登録の携帯端末としてＳ１８へ移る。このとき新規の属性情報を登録するステップを追加してもよい。
【００６４】
Ｓ２４において、同期録画処理モジュール３４は、コンテンツの同期作業を実行する。コンテンツの同期作業については後述する。コンテンツの同期作業が終了すると、Ｓ２５に移る。Ｓ２５において、電源管理モジュール３２は、スタンバイフラグはオンであるかを判定する。スタンバイフラグがオンであれば、Ｓ２６へ移る。スタンバイフラグがオンでないならば、Ｓ１１へ戻る。
【００６５】
Ｓ１９において、電源管理モジュール３２は、タイマＢ３２ｂのカウントが所定値になったかを判定し、タイマＢ３２ｂのカウントが所定値になったならば、Ｓ２６へ移る。Ｓ２６において、電源管理モジュール３２は、タイマＡ３２ａとタイマＢ３２ｂをリセットする。
【００６６】
Ｓ２７において、電源管理モジュール３２は、映像機器２がスタンバイ状態であるかを判定する。動作フローの途中で利用者によって、映像機器２の電源がオンされる可能性があるためである。スタンバイ状態であれば、Ｓ２８へ移って、同期録画処理用の電源をオフしてスタンバイ状態とし、Ｓ１１へ戻る。スタンバイ状態でなければ、Ｓ１１へ戻る。
【００６７】
以上のように、映像機器２がスタンバイ状態あるいは電源投入状態に関わらず、携帯端末３からの接続要求を受けて、携帯端末３を認証し、認証できれば同期作業が実行される。
【００６８】
図５は、複数の携帯端末３が接続された場合の映像機器２の同期録画処理の動作手順の例を示したフローチャートである。Ｓ２４までは図４で示したフローチャートと同様であるので、省略する。Ｓ２４において、同期録画処理モジュール３４は、コンテンツの同期作業を実行する。コンテンツの同期作業については後述する。コンテンツの同期作業が終了すると、Ｓ３０に移る。
【００６９】
Ｓ３０において、同期録画処理モジュール３４は、携帯端末３を含む他の全ての登録機器（携帯端末）の同期作業が完了したかを判定する。全ての登録機器の同期作業が完了したならば、Ｓ３１へ移る。全ての登録機器の同期作業が完了していないならば、Ｓ２１へ[s1]戻って、同期作業が完了していない携帯端末からの接続要求があったかを判定する。
【００７０】
Ｓ３１において、電源管理モジュール３２は、スタンバイフラグはオンであるかを判定する。スタンバイフラグがオンであれば、Ｓ３２へ移る。スタンバイフラグがオンでないならば、Ｓ１１へ戻る。Ｓ３２において、電源管理モジュール３２は、タイマＡ３２ａとタイマＢ３２ｂをリセットする。
【００７１】
Ｓ３３において、電源管理モジュール３２は、映像機器２がスタンバイ状態であるかを判定する。スタンバイ状態であれば、Ｓ３４へ移って、同期録画処理用の電源をオフしてスタンバイ状態とし、Ｓ１１へ戻る。スタンバイ状態でなければ、Ｓ１１へ戻る。
【００７２】
以上のように、映像機器２がスタンバイ状態あるいは電源投入状態に関わらず、複数の携帯端末からの接続要求を受けて、複数の携帯端末毎に認証し、認証できれば複数の携帯端末毎に同期録画処理が実行される。なお、映像機器２が、平行して複数の携帯端末を処理できる場合には、この例とは異なり、同期作業を複数並行処理してもよい。
【００７３】
図６は、映像機器２の同期作業の動作手順の例を示したフローチャートである。同期作業は、クライアント側である携帯端末３からの要求に応じてサーバ側である映像機器２が、携帯端末３へ同期録画予約されたコンテンツの中の差分のコンテンツのデータを送信する処理である。携帯端末３は送信された差分のコンテンツのデータを受信する。携帯端末３を認証した後同期録画処理モジュール３４が、コンテンツの同期作業を実行する。
【００７４】
Ｓ４１において、映像機器２の同期録画処理モジュール３４は、携帯端末３からコンテンツリストをネットワーク送受信モジュール３１を介して受信する。Ｓ４２において、同期録画処理モジュール３４は、携帯端末３から受信したコンテンツリストと同期録画予約された放送コンテンツの同期録画予約リストと比較する。
【００７５】
Ｓ４３において、同期録画処理モジュール３４は、コンテンツリストと同期録画予約リストに差分があったかを判定する。差分があったならば、Ｓ４４に移る。差分が無かったならば、終了する。
【００７６】
Ｓ４４において、同期録画処理モジュール３４は、携帯端末３から差分リストの要求があったかを判定する。同期録画処理モジュール３４は、差分リストの要求があったならば、差分リストを作成し、Ｓ４５に移って携帯端末３に差分リストを送信する。差分リストの要求がないならば、差分リストの要求が来るまでループして待機する。
【００７７】
Ｓ４６において、同期録画処理モジュール３４は、携帯端末３から差分コンテンツの要求があったかを判定する。同期録画処理モジュール３４は、差分コンテンツの要求があったならば、Ｓ４７に移って携帯端末３に差分コンテンツを送信して終了する。差分コンテンツの要求がないならば、差分リストの要求が来るまでループして待機する。
【００７８】
以上のように、携帯端末３の同期録画処理のアプリケーションソフトが実行されると、携帯端末３は、映像機器２に、コンテンツリストを送信し、差分リストを要求し、差分コンテンツを要求する。映像機器２は、携帯端末３からの要求に応じて差分があったならば、差分のコンテンツを送信する。利用者は、携帯端末３の同期録画処理のアプリケーションソフトを実行すれば、自動的に差分のコンテンツが携帯端末３に記録される。
【００７９】
この同期録画処理のアプリケーションソフトは利用者が帰宅時等のタイミングで利用者が都度実行しても良いが、該ソフトを常時実行させておき、利用者が帰宅時、すなわち携帯端末３がネットワーク４に接続されたことを携帯端末３が検知したときに映像機器２との同期作業が実施されるようにしても良い。あるいは、携帯端末３が充電のために充電器等に接続され、充電が始まった際に、同期録画処理のアプリケーションソフトを実行しても良い。この場合、携帯端末３の充電を制御する機能部（ソフトでも良い）が充電の開始を判断して、同期録画処理のアプリケーションソフトを実行させるものである。
【００８０】
図７は、映像機器２の同期作業の動作手順の別の例を示したフローチャートである。図７の例は、図６とは異なり、同期作業は、サーバ側である携帯端末３に対してクライアント側ある映像機器２からの要求に応じて携帯端末３へ同期録画予約されたコンテンツの中の差分のコンテンツのデータを送信し、携帯端末３がこれを受信する処理である。携帯端末３を認証した後同期録画処理モジュール３４が、コンテンツの同期作業を実行する。
【００８１】
Ｓ５１において、同期録画処理モジュール３４は、携帯端末３にコンテンツリストをネットワーク送受信モジュール３１を介して要求する。Ｓ５２において、同期録画処理モジュール３４は、携帯端末３からコンテンツリストをネットワーク送受信モジュール３１を介して受信し取得する。Ｓ５３において、同期録画処理モジュール３４は、携帯端末３から取得したコンテンツリストと同期録画予約された放送コンテンツの同期録画予約リストと比較する。
【００８２】
Ｓ５４において、同期録画処理モジュール３４は、コンテンツリストと同期録画予約リストに差分があったかを判定する。差分があったならば、Ｓ５５に移る。差分が無かったならば、終了する。
【００８３】
Ｓ５５において、同期録画処理モジュール３４は、差分リストを作成し、携帯端末３に差分リストを送信する。Ｓ５６において、同期録画処理モジュール３４は、携帯端末３に差分コンテンツを送信して終了する。
【００８４】
以上のように、携帯端末３の同期録画処理のアプリケーションソフトが実行された状態であれば、映像機器２は、携帯端末３にコンテンツリストを要求して取得し、差分があったならば、携帯端末３に差分リストを送信し、差分コンテンツを送信する。利用者は、携帯端末３の同期録画処理のアプリケーションソフトを実行すれば、自動的に差分のコンテンツが携帯端末３に記録される。
【００８５】
図８は、映像機器２の画面７に表示されたＥＰＧによる番組表７０の例を示した図である。利用者は、映像機器２の画面７に表示された番組表７０を見ながら放送コンテンツを選択して録画を予約することができる。番組表７０は、制御モジュール２２が放送の番組情報の中のＳＩ（Service Information、番組配列情報）情報を解析して番組表を生成してＧＵＩ画面を生成し、重畳処理モジュール１６、映像処理モジュール１７を経て画面７に表示される。
【００８６】
図８において、番組表７０は、１チャンネルから５チャンネルについて５月１３日金曜日の１８時から２２時３０分の番組を表示する例を示している。リモコン８のカーソルボタン（図示せず）を操作することにより、画面７に表示されていない他のチャンネルを右スクロールまたは左スクロールすることにより閲覧することができる。また、リモコンのカーソルボタンを操作することにより、画面７に表示されていない他の時間帯を上スクロールまたは下スクロールすることにより閲覧することができる。
【００８７】
図９は、映像機器２の画面７に番組録画予約ウィンドウ７１が表示された例を示した図である。図８に示した番組表の中の番組をリモコン８のカーソルボタンを操作して選択すると、図９に示した番組録画予約ウィンドウ７１が表示される。図９においては、３チャンネルの２１時から放送されるドラマを選択した例を示している。
【００８８】
番組録画予約ウィンドウ７１には、放送局や番組名といった番組情報の一部が表示され、録画予約の有無を選択する録画予約ボタン７２と同期録画予約の有無を選択する同期録画予約ボタン７３を備えている。利用者は録画予約するボタン７２ａ、録画予約しないボタン７２ｂのどちらかを選択できる。また、利用者は同期録画予約するボタン７３ａ、同期録画予約しないボタン７３ｂのどちらかを選択できる。
【００８９】
なお、録画予約した放送コンテンツを全て同期録画予約とする設定を上位の設定項目に備えてもよい。すなわち図９、図１０に示した例は、番組の予約毎に同期録画予約とする、しないという設定をしたものであるが、録画予約する放送コンテンツを全て同期録画予約する、しないという設定を行うメニューを別に設けるということである。この場合、複数接続される端末のうち例えば、図１０における端末ＡＡＡは同期録画予約するが、端末ＢＢＢは同期録画予約しないとする設定が可能である。なお、この端末ＢＢＢは同期録画予約しないとする設定をした場合でも、図９、図１０で示した例のように、番組の予約毎に同期録画予約とすることにより、番組単位での端末ＢＢＢへの同期録画予約は可能である。
【００９０】
図１０は、映像機器２の画面７に携帯端末設定ウィンドウ７４が表示された例を示した図である。図９に示した番組録画予約ウィンドウ７１において、利用者が録画予約するボタン７２ａと同期録画予約するボタン７３ａを選択すると、図１０に示した携帯端末設定ウィンドウ７４が表示される。
【００９１】
携帯端末設定ウィンドウ７４には、属性情報が登録された単数あるいは複数の携帯端末が表示され、携帯端末毎に同期録画予約をするかしないか、画像変換（トランスコード）の種類が表示される。画像変換のファイル形式や解像度は属性情報を登録したときの設定値がデフォルト値として表示される。利用者は携帯端末毎に同期録画予約をするかしないか、画像変換の種類を選択できる。
【００９２】
以上のように、コンテンツ送信システム１は、同期録画予約された放送コンテンツを録画する録画装置１５と録画装置１５に録画されたコンテンツをネットワーク４を介して送信する制御モジュール２２を有する映像機器２と、ネットワーク４を介して映像機器２に接続し、映像機器２から送信されたコンテンツを記録する記録装置５８を有する携帯端末３とを備えており、制御モジュール２２は、携帯端末３に記録されたコンテンツの情報を携帯端末３から受信し、録画装置１５に録画されたコンテンツと比較して同期録画予約されたコンテンツの未送信の差分を算出し、差分を携帯端末３へ送信する。このようにすることによって、映像機器２に録画されたコンテンツを自動的に携帯端末３に送信（コピーまたは移動）することが可能となり、利用者は容易に携帯端末３にコンテンツを記録することができる。
【００９３】
（第２の実施形態）
図１１は、第２の実施形態に係る携帯端末８０の構成を示したブロック図である。この第２の実施形態の各部について、図１乃至図３に示す第１の実施形態の各部と同一部分は同一符号である。この第２の実施形態が第１の実施形態と異なる点は、携帯端末８０の制御モジュール８１に録画予約モジュール８２を追加した構成としたことである。
【００９４】
録画予約モジュール８２は、ネットワーク送受信モジュール４１を介してＬＡＮあるいは、インターネット等から、放送番組の番組情報を取得し、利用者の要求に基づいて録画予約情報を作成する機能を有する。更に、この録画予約情報を映像機器２に送信する機能を有する。
【００９５】
第１の実施形態においては、録画予約情報は映像機器２で作成され、録画予約情報は、映像機器２の録画管理モジュール３３によって管理されていたが、第２の実施形態においては、録画予約情報は携帯端末８０で作成され、この録画予約情報を映像機器２に送信し、映像機器２の録画管理モジュール３３が受信して、この録画予約情報を管理することも可能となる。
【００９６】
映像機器２は、映像機器２がスタンバイ状態あるいは電源投入状態に関わらず、携帯端末８０からの接続要求を受けて、携帯端末８０を認証し、認証できれば、携帯端末８０から、録画予約情報を受信し、録画管理モジュール３３がこれを管理する。またこのとき、携帯端末８０に適切なトランスコードも録画予約情報と合わせて予約することができる。
【００９７】
同期録画処理の処理動作は第１の実施形態と同様であるので省略する。第２の実施携帯においては、映像機器２が録画する放送コンテンツの予約操作を映像機器２側で行わず、携帯端末８０で予約情報を作成し、映像機器２へ送信するため、利用者は、映像機器２を操作する必要がない。更に、映像機器２がスタンバイ状態あるいは電源投入状態に関わらず、携帯端末８０からの接続要求を受けて、携帯端末８０を認証し、認証できれば同期作業が実行されるので、利用者が、映像機器２に録画されたコンテンツを容易に携帯端末８０に取り込むことが可能である。
【００９８】
なお、以上の説明では携帯端末３と映像機器２とが接続されるネットワークの例を有線ＬＡＮもしくは無線ＬＡＮとして説明したが、ネットワークはこれに限らず、ＵＳＢ、Bluetooth（登録商標）など他の方式で接続されても良い。
【００９９】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【０１００】
１  コンテンツ送信システム
２  映像機器
３  携帯端末
４  ネットワーク
５  ルータ
７  画面
８  リモコン
９  タッチパネル
１５  録画装置
２２  制御モジュール
２３  ＭＰＵ
２４  ＲＡＭ
２５  ＲＯＭ
２６  フラッシュメモリ
３１  ネットワーク送受信モジュール
３２  電源管理モジュール
３３  録画管理モジュール
３４  同期録画処理モジュール
３５  携帯端末認証モジュール
３６  携帯端末属性記憶部
４１  ネットワーク送受信モジュール
４４  無線送受信モジュール
５１  表示装置
５３  制御モジュール
５４  ＭＰＵ
５５  ＲＡＭ
５６  ＲＯＭ
５７  フラッシュメモリ
５８  記録装置
６１  記録管理モジュール
６２  同期録画制御モジュール
６３  コンテンツリスト記憶部
７０  番組表
７１  番組録画予約ウィンドウ
７２  録画予約ボタン
７３  同期録画予約ボタン
７４  携帯端末設定ウィンドウ
８０  携帯端末
８１  制御モジュール
８２  録画予約モジュール
【図１】
2012253468.tif 000003
【図２】
2012253468.tif 000004
【図３】
2012253468.tif 000005
【図４】
2012253468.tif 000006
【図５】
2012253468.tif 000007
【図６】
2012253468.tif 000008
【図７】
2012253468.tif 000009
【図８】
2012253468.tif 000010
【図９】
2012253468.tif 000011
【図１０】
2012253468.tif 000012
【図１１】
2012253468.tif 000013